(57)【要約】【目的】  遊技機の設置角度に対応した確実な固定ができると共に、遊技機の固定強度を確実に保つことができる遊技機固定装置を提供する。【解決手段】  遊技機を上部島枠４に固定する場合、上部島枠４に取り付けられた基板部材２１に対して上下移動軸２２を下方へ移動させて、上下移動軸２２の下端側に設けられた押込板３５によって遊技機の外枠９を押さえ込んで遊技機を上部島枠４に固定する。このとき、押込板３５を下端面として取り付けた揺動体３２が揺動して、押込板３５の下面に突設された全ての固定爪３６は、外枠９に当接又はくい込む。これにより、遊技機の設置角度に対応した確実な固定ができると共に、遊技機の固定強度を確実に保つことができる。【選択図】        図６
2010279590.tif 000002
【特許請求の範囲】
【請求項１】
遊技島台に設けられる上部島枠と下部島枠との間に設置される遊技機の外枠を固定する遊技機固定装置において、
前記遊技機固定装置は、
前記上部島枠又は前記下部島枠のいずれかの島枠の上面に取り付け固定される基板部材と、
該基板部材に対して上下方向に移動可能に設けられる上下移動軸と、
該上下移動軸の下端部分に設けられて当該上下移動軸と一体的となる挿入軸部と、
碗形状に形成されると共にその上端中央部分に穿設された挿入穴に対して前記挿入軸部が遊びをもって取り付けられることで前記上下移動軸に対して揺動自在に設けられる揺動体と、
前記挿入軸部の上側部分に設けられると共に前記上下移動軸の下方への移動に伴い前記挿入穴の外周部分への当接により前記揺動体を下方へ押圧する押圧部と、
前記揺動体の下端面を構成すると共に前記外枠を押さえ込む押込板と、
該押込板の下面に突設される複数個の固定爪と、を備え、
前記揺動体は、前記上下移動軸の下方への移動に伴って前記挿入穴に対する前記挿入軸部の遊びを徐々になくして前記押圧部が前記挿入穴の外周部分を押圧すると、その押圧力を当該揺動体の碗形状の外周部分に沿って分散させて前記複数個の固定爪が前記外枠に当接又はくい込むように揺動することを特徴とする遊技機固定装置。
【請求項２】
前記上下移動軸は、雄ネジ部が形成されたボルトから構成され、その上端部分には、当該上下移動軸を回転操作するための操作部が設けられ、
前記基板部材には、前記雄ネジ部と螺合する螺合部が設けられ、
前記操作部の回転操作によって前記螺合部に対する前記雄ネジ部の螺合状態を調節することで、前記上下移動軸の上下方向への移動操作を可能にしたことを特徴とする請求項１記載の遊技機固定装置。
【請求項３】
前記上下移動軸の下端側の軸芯内部には、雌ネジ部が形成され、
前記遊技機固定装置は、前記雌ネジ部との螺合及び螺合解除によって前記上下移動軸に対して着脱自在に取り付けられる取付軸を備え、該取付軸の下側部分に前記挿入軸部を一体的に形成したことを特徴とする請求項１又は請求項２記載の遊技機固定装置。
【請求項４】
前記押込板は、碗形状に形成された前記揺動体の下端に一体的に取り付けられる円盤形状をなし、
前記固定爪は、前記押込板の下面中心点から異なる２つの半径寸法の位置にそれぞれ複数個がほぼ等間隔を置いて突設され、前記２つの半径寸法のうち短い半径寸法の位置に突設される固定爪は、前記２つの半径寸法のうち長い半径寸法の位置に突設される固定爪に比べて前記押込板からの突出寸法が短く設定されていることを特徴とする請求項１乃至請求項３のいずれかに記載の遊技機固定装置。
【請求項５】
前記遊技機固定装置は、前記外枠の前後方向への移動を規制することで、前記遊技機の前後方向でのずれ込みを防止するずれ込み防止部材を備えたことを特徴とする請求項１乃至請求項４のいずれかに記載の遊技機固定装置。
【発明の詳細な説明】
【技術分野】
【０００１】
本発明は、遊技島台に設けられる上部島枠と下部島枠との間に設置される遊技機の外枠を固定する遊技機固定装置に関するものである。
【背景技術】
【０００２】
従来、一般に、遊技島台に列設されるパチンコ機等の遊技機は、遊技島台に設けられる長尺板状の上部島枠と下部島枠との間に設置され、この上部又は下部の島枠と遊技機を構成する木製の外枠との間で釘が打ち込まれることにより、所定範囲の傾斜角度を付けて遊技島台に固定されるようになっていた。ところが、近年では、遊技機を機種交換するサイクルが短くなったことで、遊技機の外枠との間で島枠に釘を打ち込む機会が増加しており、島枠には、釘打ちによって生じた無数の穴が残るようになっていた。このため、新しく遊技機を入れ替えようとしても、島枠に無数の穴が残った状態となり、このような無数の穴が邪魔をして、遊技機を正確に島枠に固定することができないという問題が生じていた。
そこで、外枠に対して押圧力を加える遊技機固定装置を設けることで、島枠を遊技機の外枠との間で釘打ちすることなく、遊技機を固定するようにしたもの（例えば、特許文献１〜３）が提案されている。特許文献１には、島枠に穿設された貫通穴を挿通する押圧用ピストンで外枠を下方へ押し込んで遊技機を固定する遊技機固定装置が開示されている。また、特許文献２には、操作ハンドルを回転操作することで押圧部材を下方に捻じ込み、該押圧部材の下端に設けられた当接部によって外枠を押さえ込むことで遊技機を固定する遊技機固定装置が開示されている。また、特許文献３には、ボルト先端の球形状の係合部に揺動自在に取り付けられた円錐形状の圧着体によって外枠を押さえ込むことで遊技機を固定する遊技機固定装置が開示されている。
【先行技術文献】
【特許文献】
【０００３】
【特許文献１】特開２００７−１１１２８４号公報（図１９）
【特許文献２】特開平５−４２２５３号公報（図１２）
【特許文献３】実開平７−３７２７５号公報（図１５）
【発明の概要】
【発明が解決しようとする課題】
【０００４】
ところで、上記特許文献１〜３の遊技機固定装置は、それぞれ遊技機を固定する際、外枠を押圧する部材（特許文献１の押圧用ピストン、特許文献２の当接部を備えた押圧部材、特許文献３の圧着体を備えたボルト：以下これを外枠押圧部材という）を下方へ移動させることで、外枠を下方へ押し込んで遊技機を島枠に固定するようになっていた。しかしながら、特許文献１，２の外枠押圧部材は、その押圧面（特許文献１の押圧用ピストンの下端面、特許文献２の当接部）が上下の移動方向に対して常に垂直面となるように固定されている。このため、木製の軟質材料からなる外枠に金属製又はプラスチック製の硬質部品（例えば、本体枠を外枠に対して開閉自在に軸支する開閉軸の取付フレーム部等）が取り付けられている場合において、その硬質部品と軟質の外枠との間に段差部分が生じる等の理由で、外枠押圧部材の押圧面と対向する遊技機側の対向面がフラットとならない、言い換えれば、外枠押圧部材の押圧面と遊技機側の対向面とが平行面にならないような場合、外枠押圧部材の押圧面と遊技機側の対向面との面角度が一致しないことから、遊技機を所定の設置角度で確実に固定することができないという欠点がある。
一方、特許文献３の外枠押圧部材は、遊技機側の対向面がフラットでないような場合、遊技機側の対向面と平行面になるように外枠押圧部材の押圧面（圧着体）が揺動して、遊技機を所定の設置角度で固定することができる。ところが、遊技機側の対向面に硬質部品と軟質の外枠との境目部分が位置するような場合には、遊技機側の対向面がフラットであっても、硬質部分と軟質部分との強度上の特性から硬質部分で優先的に押圧面の押圧力を受けるようになってしまう。具体的には、遊技機側の対向面のうち硬質部分（硬質部品の部分）にだけ押圧面が載るような状態になり、軟質部分（木製の外枠）上では若干の隙間が生じてしまう。このため、外枠押圧部材の押圧面全体で遊技機を押さえ込んで固定することができず、結果として、遊技機の固定強度を確実に保つことができないという欠点がある。
本発明は、上記した事情に鑑みなされたもので、その目的とするところは、遊技機の設置角度に対応した確実な固定ができると共に、遊技機の固定強度を確実に保つことができる遊技機固定装置を提供することにある。
【課題を解決するための手段】
【０００５】
上記した目的を達成するために、請求項１の発明においては、遊技島台に設けられる上部島枠と下部島枠との間に設置される遊技機の外枠を固定する遊技機固定装置において、前記遊技機固定装置は、前記上部島枠又は前記下部島枠のいずれかの島枠の上面に取り付け固定される基板部材と、該基板部材に対して上下方向に移動可能に設けられると共に前記島枠に穿設された貫通部を挿通して配置される上下移動軸と、該上下移動軸の下端部分に設けられて当該上下移動軸と一体的となる挿入軸部と、碗形状に形成されると共にその上端中央部分に穿設された挿入穴に対して前記挿入軸部が遊びをもって取り付けられることで前記上下移動軸に対して揺動自在に設けられる揺動体と、前記挿入軸部の上側部分に設けられると共に前記上下移動軸の下方への移動に伴い前記挿入穴の外周部分への当接により前記揺動体を下方へ押圧する押圧部と、前記揺動体の下端面を構成すると共に前記外枠を押さえ込む押込板と、該押込板の下面に突設される複数個の固定爪と、を備え、前記揺動体は、前記上下移動軸の下方への移動に伴って前記挿入穴に対する前記挿入軸部の遊びを徐々になくして前記押圧部が前記挿入穴の外周部分を押圧すると、その押圧力を当該揺動体の碗形状の外周部分に沿って分散させて前記複数個の固定爪が前記外枠に当接又はくい込むように揺動することを特徴とする。
【０００６】
また、請求項２の発明においては、前記上下移動軸は、雄ネジ部が形成されたボルトから構成され、その上端部分には、当該上下移動軸を回転操作するための操作部が設けられ、前記基板部材には、前記雄ネジ部と螺合する螺合部が設けられ、前記操作部の回転操作によって前記螺合部に対する前記雄ネジ部の螺合状態を調節することで、前記上下移動軸の上下方向への移動操作を可能にしたことを特徴とする。
【０００７】
また、請求項３の発明においては、前記上下移動軸の下端側の軸芯内部には、雌ネジ部が形成され、前記遊技機固定装置は、前記雌ネジ部との螺合及び螺合解除によって前記上下移動軸に対して着脱自在に取り付けられる取付軸を備え、該取付軸の下側部分に前記挿入軸部を一体的に形成したことを特徴とする。
【０００８】
また、請求項４の発明においては、前記押込板は、碗形状に形成された前記揺動体の下端に一体的に取り付けられる円盤形状をなし、前記固定爪は、前記押込板の下面中心点から異なる２つの半径寸法の位置にそれぞれ複数個がほぼ等間隔を置いて突設され、前記２つの半径寸法のうち短い半径寸法の位置に突設される固定爪は、前記２つの半径寸法のうち長い半径寸法の位置に突設される固定爪に比べて前記押込板からの突出寸法が短く設定されていることを特徴とする。
【０００９】
更に、請求項５の発明においては、前記遊技機固定装置は、前記外枠の前後方向への移動を規制することで、前記遊技機の前後方向でのずれ込みを防止するずれ込み防止部材を備えたことを特徴とする。
【発明の効果】
【００１０】
請求項１の発明においては、遊技機を島枠に固定する場合、島枠に取り付けられた基板部材に対して上下移動軸を下方へ移動させる。これより、上下移動軸の下端側に設けられた押込板によって遊技機の外枠を押さえ込んで遊技機を島枠に固定する。このとき、押込板の下面に突設された固定爪が外枠にくい込むことで、遊技機固定装置による遊技機の固定をより一層強固なものとする。また、このような構成において、押込板によって遊技機の外枠を押さえ込む際、押込板を下端面として取り付けた揺動体は、押圧部が挿入穴の外周部分を押圧する押圧力を当該揺動体の碗形状の外周部分に沿って分散させて複数個の固定爪が外枠に当接又はくい込むように揺動する。これにより、遊技機固定装置の押込板と対向する遊技機（外枠）側の対向面がフラットでないような場合でも、押込板が外枠を押さえ込む際に、押込板の板面と遊技機側の対向面との面角度が一致して各面が平行面になるように揺動体が揺動するようにできるので、遊技機を所定の設置角度で固定することができる。
また、遊技機側の対向面に軟質部分（例えば、木製の外枠）と硬質部分（例えば、本体枠を外枠に対して開閉自在に軸支する金属製又はプラスチック製の開閉軸の取付フレーム部）との境目部分が位置するような場合、押圧力を揺動体の碗形状の外周部分に沿って分散させて複数個の固定爪が外枠に当接又はくい込むように揺動体が揺動する。具体的には、硬質部分と対向する固定爪は、その先端部分が硬質部分の上端面と当接する一方、軟質部分と対向する固定爪は、軟質部分にくい込む。これにより、遊技機側の対向面のうち硬質部分にだけ固定爪が当接して、押込板が部分的に遊技機側の対向面を押し込むようなことを回避することができる。従って、遊技機側の対向面に軟質部分と硬質部分との境目部分が位置するような場合でも、押込板全体で遊技機を押さえ込んで固定することができるので、遊技機の固定強度を確実に保つことができる。
【００１１】
また、請求項２の発明においては、上下移動軸の上端部分に設けられた操作部を回転操作することで、上下移動軸に形成された雄ネジ部と基板部材に設けられた螺合部との螺合状態を調節して、上下移動軸を上下方向へ移動させる。そして、操作部の回転操作によって上下移動軸を下方向へ移動させることで、上下移動軸の下側に設けられた押込板及び固定爪によって遊技機の外枠を押さえ込んで固定する。一方、押込板及び固定爪による外枠の押さえ込みを解除する際には、押さえ込み時とは反対方向に操作部を回転操作することで、上下移動軸を上方向へ移動させる。これにより、遊技機固定装置を島枠から取り外すことなく、簡単な操作で遊技機の島枠に対する固定及び固定解除を行うことができる。
【００１２】
また、請求項３の発明においては、上下移動軸の下端側の軸芯内部に雌ネジ部を形成し、該雌ネジ部との螺合及び螺合解除によって上下移動軸に対して着脱自在に取り付けられる取付軸の下側部分に挿入軸部を一体的に形成する。これにより、上下移動軸の下側に設けられて遊技機を固定する固定部品（挿入軸部が形成された取付軸、揺動体、押圧部、押込板、及び固定爪）をユニットとして上下移動軸の下端に着脱自在に取り付ける構成にできる。従って、遊技機の機種交換を頻繁に繰り返すことで固定爪が破損するような場合には、遊技機固定装置全体を交換するのではなく、ユニット化した固定部品だけを交換すればよいので、交換作業が容易になると共にコストの低減を招来することができる。
【００１３】
また、請求項４の発明においては、円盤形状をなす押込板の下面に、突出寸法が異なる２種類の固定爪を突設し、突出寸法の長い固定爪は、押込板の下面中心点から長い半径寸法の位置に複数個等間隔を置いて設ける一方、突出寸法の短い固定爪は、押込板の下面中心点から短い半径寸法の位置に複数個等間隔を置いて設ける。このため、押込板によって遊技機を押し込む際は、押込板の下面中心点から長い半径寸法の位置に設けられた突出寸法の長い固定爪（以下、これを外側の固定爪ともいう）が先に外枠にくい込み、次いで押込板の下面中心点から短い半径寸法の位置に設けられた突出寸法の短い固定爪（以下、これを内側の固定爪ともいう）が外枠にくい込むようになる。従って、遊技機（外枠）側の対向面に軟質部分と硬質部分との境目部分が位置することで対向面の硬質部分と当接して外枠にくい込まない固定爪があるような場合でも、内側の固定爪によって外側の固定爪のくい込みが妨げられることを回避することができ、結果として、突出寸法の異なる２種類の固定爪でより強固に遊技機を固定することができる。
【００１４】
更に、請求項５の発明においては、ずれ込み防止部材によって外枠の前後方向への移動を規制することで、遊技機の前後方向でのずれ込みを防止する。これにより、押込板及び固定爪による遊技機の押さえ込み固定に加えて、遊技機を前後方向で固定することができる。一般的に、遊技機を構成する本体枠を外枠に対して開閉する場合、その開閉動作に伴って本体枠を軸支する外枠の一側が若干前方へ押し出されると共に、外枠の他側が若干後方へ押し込まれるようになっており、遊技機を長期間設置した場合には、外枠が前後方向でずれ込むという不具合が生じ易くなるが、ずれ込み防止部材によって遊技機を前後方向で固定することにより、このような外枠の前後方向でのずれ込みを防止することができる。
【図面の簡単な説明】
【００１５】
【図１】遊技島台の内部構造の概略を示す正面図である。
【図２】上部島枠、下部島枠、及び間仕切りによって区画形成された遊技機の設置空間と、上部島枠に取り付けられた遊技機固定装置と、を示す斜視図である。
【図３】遊技機固定装置を示す正面図である。
【図４】同図（Ａ）は押圧固定部材を構成する揺動体及び押込板を示す上方からの斜視図であり、同図（Ｂ）は押圧固定部材を構成する揺動体及び押込板を示す下方からの斜視図である。
【図５】遊技機固定装置によって遊技機を固定した状態を示す側面視の縦断面図である。
【図６】遊技機固定装置によって遊技機を固定した状態を示す正面視の縦断面図である。
【図７】同図（Ａ）は固定爪が突設された押込板を示す下面図であり、同図（Ｂ）は変形例の固定爪が突設された押込板を示す下面図であり、同図（Ｃ）は変形例の固定爪が突設された押込板を示す下面図である。
【図８】変形例の固定爪を備えた遊技機固定装置によって遊技機を固定した状態を示す正面視の縦断面図である。
【図９】変形例の押圧固定部材を示す正面図である。
【図１０】変形例の押圧固定部材を示す正面図である。
【図１１】外枠の撓みを防止する撓み防止装置を示す側面視の縦断面図である。
【図１２】外枠の撓みを防止する撓み防止装置を示す側面視の縦断面図である。
【図１３】外枠の撓みを防止する撓み防止装置を示す側面視の縦断面図である。
【図１４】遊技機固定装置によって遊技機の下部を固定した状態を示す側面視の縦断面図である。
【発明を実施するための形態】
【００１６】
以下、図面を参照して本発明の実施形態について説明する。先ず、図１及び図２を参照して、本実施形態に係る遊技島台１の概略構成について説明する。図１は、遊技島台１の内部構造の概略を示す正面図である。図２は、上部島枠４、下部島枠５、及び間仕切り８によって区画形成された遊技機２の設置空間１０と、上部島枠４に取り付けられた遊技機固定装置２０と、を示す斜視図である。
【００１７】
図１に示すように、遊技島台１は、周知のように、直方体状に枠組み構成され、その長手方向側面中央に遊技機２を背向列設するようになっている。遊技島台１には、その中央部に揚送装置収納部３が構成され、該揚送装置収納部３内に図示しない玉磨き揚送装置が収納設置されている。
【００１８】
また、遊技島台１には、複数の遊技機２を取り付けるための上部島枠４と、下部島枠５と、がそれぞれ遊技機２の高さ寸法とほぼ同一の間隔をあけて当該遊技島台１の長手方向に沿って掛け渡されている。下部島枠５は、遊技者が玉箱などを載置するためのいわゆるカウンター板である。上部島枠４は、遊技機２の上方に配置される図示しない補給樋などを覆い隠すための幕板６が取り付けられる固定枠のうちの下側の枠としての機能を兼ね備えている。下部島枠５の下方には、遊技島台１で循環使用されるパチンコ玉を貯留するための図示しない貯留タンクなどを覆い隠すための腰板７が取り付けられている。
【００１９】
上部島枠４と下部島枠５との間には、複数の遊技機２間で所定の間隔を設けるための複数の間仕切り８が遊技機２の横幅寸法とほぼ同一の間隔をあけて取り付けられている。そして、図２に示すように、上部島枠４、下部島枠５、及び隣接する２本の間仕切り８によって区画された空間が１台の遊技機２を設置するための設置空間１０として構成されている。なお、図２中には、遊技機２全体を図示するのではなく、木製材料から形成されて遊技機２を構成する矩形状の外枠９と、該外枠９の下側部分に取り付けられる装飾カバー板１１と、外枠９の一側上下に取り付けられて図示しない本体枠を外枠９に対して開閉自在に軸支する金属製の上下の各開閉軸１２，１３と、が設置空間１０に取り付けられた状態を図示している。また、設置空間１０を区画形成する上部島枠４には、遊技機２を当該設置空間１０内に固定するための遊技機固定装置２０が左右２箇所に取り付けられている。
【００２０】
次に、本実施形態の要部をなす遊技機固定装置２０の構成について、図３乃至図６を参照して説明する。図３は、遊技機固定装置２０を示す正面図である。図４（Ａ）は、押圧固定部材３０を構成する揺動体３２及び押込板３５を示す上方からの斜視図であり、図４（Ｂ）は、押圧固定部材３０を構成する揺動体３２及び押込板３５を示す下方からの斜視図である。図５は、遊技機固定装置２０によって遊技機２を固定した状態を示す側面視の縦断面図である。図６は、遊技機固定装置２０によって遊技機２を固定した状態を示す正面視の縦断面図である。
【００２１】
図３に示すように、遊技機固定装置２０は、金属製の長板形状をなして当該遊技機固定装置２０を上部島枠４に取り付け固定する基板部材２１と、該基板部材２１に対して上下方向に移動可能に設けられる上下移動軸２２と、該上下移動軸２２の下端部分に着脱自在に取り付けられる押圧固定部材３０と、を備えている。
【００２２】
基板部材２１の両端側となる左右２箇所には、上部島枠４に穿設された貫通穴１４（図５参照）に対して当該基板部材２１をボルト２３ａ及びナット２３ｂで固定するための取付穴２４が穿設されている。また、基板部材２１のほぼ中央部分には、上下移動軸２２を挿通するための挿通穴２５が穿設されており、該挿通穴２５の上側部分には、上下移動軸２２の後述する雄ネジ部２２ａと螺合する雌ネジ部２６ａを形成した螺合ナット２６（螺合部）が基板部材２１と一体的に設けられている。
【００２３】
上下移動軸２２は、雄ネジ部２２ａが形成されたボルトから構成され、その上端部分には、当該上下移動軸２２を回転操作するための操作部２７が設けられている。そして、操作部２７を回転操作することによって、螺合ナット２６の雌ネジ部２６ａに対して雄ネジ部２２ａを捻じ込み又は捻じ込み解除することで、基板部材２１に対する上下移動軸２２の下方向又は上方向への移動が行われるようになっている。一方、上下移動軸２２の下端部分には、押圧固定部材３０を着脱自在に取り付けるための雌ネジ部２２ｂが軸芯内部に形成されている。なお、押圧固定部材３０は、基板部材２１の挿通穴２５を挿通した上下移動軸２２の下端（雌ネジ部２２ｂ）に取り付けられる。
【００２４】
押圧固定部材３０は、上下移動軸２２の雌ネジ部２２ｂと螺合する雄ネジ部３１ａが形成された取付軸３１と、該取付軸３１の下端に取り付けられる揺動体３２と、を備えている。取付軸３１の下端には、ネジ（雄ネジ部３１ａ）が切られることなく雄ネジ部３１ａの下端から延長線上に伸びる挿入軸部３１ｂが設けられ、該挿入軸部３１ｂと雄ネジ部３１ａとの境目部分には、揺動体３２の上方への移動を規制するための規制ナット３３（押圧部）が設けられている。なお、押圧固定部材３０は、取付軸３１の雄ネジ部３１ａが上下移動軸２２の雌ネジ部２２ｂ内に捻じ込まれて、規制ナット３３を上下移動軸２２の下端と当接させた状態が上下移動軸２２に対する完全な取り付け状態となる（図５及び図６参照）。また、このように、本実施形態では、上下移動軸２２に対する取付軸３１の螺合によって、押圧固定部材３０を上下移動軸２２に着脱自在な構成としている。このため、押圧固定部材３０（特には、後述する外枠９にくい込むことで破損が生じ易い固定爪３６）が破損するような場合があっても、遊技機固定装置２０全体を取り替える必要はなく、押圧固定部材３０だけを取り替えるだけでよい。
【００２５】
揺動体３２は、図４（Ａ），（Ｂ）に示すように、碗形状に形成されており、その上端中央部分には、取付軸３１の挿入軸部３１ｂを若干の遊びを持って挿入するための挿入穴３２ａが穿設されている。そして、取付軸３１の挿入軸部３１ｂが揺動体３２の挿入穴３２ａに挿入され、その下端部分に止め具３４が取り付けられることで、取付軸３１の下端に揺動体３２が揺動自在に取り付けられる。また、碗形状をなす揺動体３２の下端外周には、全周に亘って鍔状フランジ部３２ｂが形成されており、該鍔状フランジ部３２ｂの下面には、鍔状フランジ部３２ｂの外形形状とほぼ同一となる円盤形状の押込板３５が一体的に取り付けられる。押込板３５の下面には、その中心点から四方へそれぞれ等間隔を置いた位置に４つの固定爪３６が突設されている（図７（Ａ）参照）。
【００２６】
しかして、上記した遊技機固定装置２０は、図５及び図６に示すように、基板部材２１に穿設された左右の取付穴２４が上部島枠４側の左右の貫通穴１４と個々にボルト２３ａ及びナット２３ｂで共締めされることにより、上部島枠４に固定して取り付けられる。また、上部島枠４には、当該上部島枠４に遊技機固定装置２０を取り付けた状態で、上下移動軸２２及びその下端に設けられた押圧固定部材３０を挿通する貫通穴１５が左右の貫通穴１４間に穿設されている。
【００２７】
ここで、遊技機固定装置２０により遊技機２の上部を固定する方法について説明する。先ず、設置空間１０内の下部島枠５上に遊技機２を載置する。この状態から、上部島枠４に固定された遊技機固定装置２０の操作部２７を回転操作することで、上下移動軸２２の雄ネジ部２２ａを螺合ナット２６の雌ネジ部２６ａに螺合させて、上下移動軸２２を上部島枠４に固定された基板部材２１に対して下方に移動させる。そして、このような操作部２７の回転操作に伴う上下移動軸２２の下方への移動を継続することで、上下移動軸２２の下端に設けられた押圧固定部材３０（押込板３５の固定爪３６）が遊技機２を構成する外枠９の上辺部分の上面と当接し、さらに、上下移動軸２２を下方へ移動させることにより、押込板３５の固定爪３６が木製の外枠９にくい込んで押込板３５が外枠９の上面を押さえ込んだ状態となって遊技機２を設置空間１０内に固定する。
【００２８】
ところで、上記したように上下移動軸２２の下方移動に伴って押圧固定部材３０（押込板３５の固定爪３６）が遊技機２の外枠９を固定する際、押圧固定部材３０の揺動体３２は、固定爪３６が外枠９と当接していても挿入穴３２ａの外周部分が規制ナット３３と当接していない状態では、押圧固定部材３０の取付軸３１、言い換えれば上下移動軸２２に対して揺動自在な状態にある。その後、固定爪３６が徐々に外枠９にくい込んでいくに連れて、揺動体３２における挿入穴３２ａの外周部分が規制ナット３３に押し込まれていき、最終的に、揺動体３２は、上下移動軸２２と外枠９との間に挟持されて完全に固定された状態となる。
【００２９】
従って、揺動体３２の下端に設けられた固定爪３６は、外枠９と当接した状態であっても揺動体３２が揺動自在なときには、外枠９にくい込むことはない。即ち、遊技機固定装置２０による遊技機２の固定状態を強固なものとする押圧固定部材３０の固定爪３６は、揺動体３２における挿入穴３２ａの外周部分が規制ナット３３に押し込まれるまでの間で遊びをもって外枠９と当接することになり、その遊びをもった当接状態の期間で、外枠９へのくい込みが最も効果的に行われる位置に移動されるようになっている。具体的には、図６に示すように、押圧固定部材３０の真下に、木製の外枠９と、金属製の上開閉軸１２の取付フレーム部１２ａと、の境目部分が位置するような場合、固定爪３６は、木製の外枠９にくい込むことができても、金属製の取付フレーム部１２ａにくい込むことがない。このため、押込板３５の下面に突設された４つの固定爪３６は、上下移動軸２２の下方移動に伴う外枠９及び取付フレーム部１２ａとの当接において遊びをもった状態で、４つの固定爪３６のうちより多くの固定爪３６が木製の外枠９にくい込み易い位置へ移動し、最終的に、上下移動軸２２の完全なる締め込み状態（上下移動軸２２が最下方へ移動した状態）で、４つの固定爪３６のうちより多くの固定爪３６が木製の外枠９にくい込んで遊技機２を強固に固定するようになっている。なお、このとき、押圧固定部材３０の揺動体３２は、４つの固定爪３６のうち取付フレーム部１２ａにくい込むことなく当接する固定爪３６に対して、残りの固定爪３６を外枠９にくい込ませるため、押込板３５が取付フレーム部１２ａ側から外枠９側へ下り傾斜するように揺動する。
【００３０】
また、遊技機固定装置２０による遊技機２の固定状態を解除する場合には、螺合ナット２６に対する上下移動軸２２の捻じ込みを解除する方向に操作部２７を回転操作して、上下移動軸２２を上方へ移動させる。これにより、固定爪３６の外枠９へのくい込みを解除して、遊技機固定装置２０による遊技機２の固定状態を解除する。
【００３１】
なお、上記した実施形態では、遊技機固定装置２０を構成する押圧固定部材３０の固定爪３６を、図７（Ａ）に示すように、押込板３５の下面中心点から四方へそれぞれ等間隔を置いた位置に４つ設ける構成としているが、この構成に限定するものではない。例えば、図７（Ｂ）に示すように、押込板３５の下面中心点から四方へそれぞれ等間隔を置いた位置に４つの固定爪３６を設け、さらにその４つの固定爪３６の内側（押込板３５の下面中心点側）に４つの固定爪３６’を設けて、計８個の固定爪３６，３６’から構成するようにしてもよい。なお、内側の固定爪３６’は、図８に示すように、外側の固定爪３６に比べて押込板３５からの突出寸法が短く設定されている。このような構成にすれば、押圧固定部材３０の真下に、木製の外枠９と、金属製の取付フレーム部１２ａと、の境目部分が位置することで、取付フレーム部１２ａと当接して外枠９にくい込まない固定爪３６があるような場合でも、外枠９にくい込む固定爪３６の数を増やすことができるので、より強固に遊技機２を固定することができる。また、この場合、内側の固定爪３６’が外側の固定爪３６よりも短く形成されることで、外側の固定爪３６が先に外枠９にくい込み、次いで内側の固定爪３６’が外枠９にくい込むようになっており、内側の固定爪３６’によって外側の固定爪３６のくい込みが妨げられることを回避するようになっている。また、図７（Ｂ）の構成とは逆に、図７（Ｃ）に示すように、押込板３５の下面中心点から三方へそれぞれ等間隔を置いた位置に３つの固定爪３６を設けて、実施形態中に記載した４つの固定爪３６より１つ少ない計３個の固定爪３６から構成するようにしてもよい。
【００３２】
また、上下移動軸２２に対して押圧固定部材３０を着脱自在に取り付ける構成としては、実施形態中に記載のものに限定しない。例えば、押圧固定部材３０を構成する取付軸３１において、必ずしも雄ネジ部３１ａと挿入軸部３１ｂとの境目部分に規制ナット３３を設ける必要はなく、上下移動軸２２で押圧固定部材３０を押し込む構成としてもよい。具体的には、図９に示すように、雄ネジ部３１ａと挿入軸部３１ｂとの境目部分に規制ナット３３を設けない構成とした場合、操作部２７の回転操作に伴う上下移動軸２２の下方移動によって遊技機２を固定する際、上下移動軸２２の下端面によって揺動体３２における挿入穴３２ａの外周部分を押し込んで、固定爪３６を外枠９にくい込ませることができる。また、図１０に示すように、雄ネジ部３１ａの断面寸法を挿入軸部３１ｂの断面寸法よりも大きく設定することで、遊技機２を固定する際、雄ネジ部３１ａの下端面によって揺動体３２における挿入穴３２ａの外周部分を押し込むようにしてもよい。
【００３３】
ところで、上記した遊技機固定装置２０による遊技機２の固定方法は、上下移動軸２２の下方移動に基づいて押圧固定部材３０で外枠９の上辺部分を下方へ押し込むことにより、設置空間１０内に遊技機２を固定する構成となっている。しかしながら、このような構成では、外枠９が軽量材料等で形成されて撓みが生じ易い場合には、押圧固定部材３０の押し下げに伴って多少なりとも外枠９の上辺部分が下方へ撓むことになる。そこで、図１１乃至図１３に示す撓み防止装置４０，５０，６０のいずれかを設けることで、遊技機固定装置２０による遊技機２の固定に伴う外枠９の撓みを防止するようにしてもよい。図１１は、外枠９の撓みを防止する撓み防止装置４０を示す側面視の縦断面図である。図１２は、外枠９の撓みを防止する撓み防止装置５０を示す側面視の縦断面図である。図１３は、外枠９の撓みを防止する撓み防止装置６０を示す側面視の縦断面図である。
【００３４】
図１１に示す撓み防止装置４０は、巻取スイッチ４２の押圧操作によって巻き取り可能なワイヤ４３を備えて上部島枠４の上面に取り付けられるワイヤ巻取器４１と、上部島枠４の後面に固定され、且つ外枠９の上辺部分に掛け渡されたワイヤ４３の先端リング部４３ａを取り付ける取付フック４４と、から構成されている。しかして、撓み防止装置４０は、外枠９の上辺部分に掛け渡されて先端リング部４３ａが取付フック４４に取り付けられたワイヤ巻取器４１のワイヤ４３を、巻取スイッチ４２の押圧操作によって巻き取ることで、外枠９の上辺部分をその下面側から上方へ押し上げるようになっている。これにより、遊技機固定装置２０による遊技機２の固定に伴って生じる外枠９の下方への撓みを防止するようになっている。
【００３５】
図１２に示す撓み防止装置５０は、外枠９の上辺部分に掛け渡されるワイヤ５１と、上部島枠４の後面にビス５３で固定され、且つワイヤ５１の先端リング部５１ａを取り付けるフック部５４が形成された取付ベース５２と、を備えている。取付ベース５２には、ワイヤ５１の他端側を絞り込んで外枠９の上辺部分をその下面側から上方へ押し上げる絞り込み筒５５と、該絞り込み筒５５によるワイヤ５１の絞り込み状態、言い換えれば、外枠９の上辺部分の押し上げ状態を保持する保持部材５６と、が設けられている。しかして、撓み防止装置５０は、外枠９の上辺部分に掛け渡されて先端リング部５１ａがフック部５４に取り付けられたワイヤ５１を、絞り込み筒５５の絞り込み操作によって絞り込んで、外枠９の上辺部分をその下面側から上方へ押し上げるようになっている。これにより、遊技機固定装置２０による遊技機２の固定に伴って生じる外枠９の下方への撓みを防止するようになっている。
【００３６】
なお、上記したワイヤ５１は、絞り込み筒５５の絞り込み操作に伴う絞り込みによって、外枠９の上辺部分をその下面側から上方へ押し上げると共に、外枠９の前方への移動を規制するようになっている。然も、取付ベース５２における外枠９の後面と対向する部分には、規制ボルト５７が設けられており、該規制ボルト５７の先端部分には、外枠９の後面と当接することで外枠９の後方への移動を規制する当接規制片５８が設けられている。これにより、撓み防止装置５０は、外枠９の上辺部分における下方への撓みを防止すると共に、外枠９の前後方向でのずれ込みを防止するようになっている。なお、遊技機２は、設置空間１０内に設置された状態で、本体枠（図示しない）を外枠９に対して開閉する場合、その開閉動作に伴って本体枠を軸支する外枠９の一側（上下の各開閉軸１２，１３が取り付けられる側）が若干前方へ押し出されると共に、外枠９の他側が若干後方へ押し込まれるようになっている。このため、遊技機２を長期間設置した場合には、外枠９が前後方向でずれ込むという不具合が生じ易くなるが、撓み防止装置５０を設けることで、このような外枠９の前後方向でのずれ込みを防止することができる。また、撓み防止装置５０を構成するワイヤ５１、及び規制ボルト５７先端の当接規制片５８が、本発明に係るずれ込み防止部材を構成するようになっている。
【００３７】
図１３に示す撓み防止装置６０は、上部島枠４の後側上面に固定された取付部材６１を備えている。取付部材６１には、側面視でコの字状をなすスライド板６２が上下方向にスライド可能に取り付けられており、該スライド板６２の上辺部分には、取付部材６１との螺合によってスライド板６２のスライド位置を固定する固定ボルト６３が取り付けられている。一方、スライド板６２の下辺部分は、外枠９の上辺部分下面との当接によって外枠９の上辺部分を下面側から押し上げる押上片部６４として形成されている。しかして、撓み防止装置６０は、取付部材６１に対して固定ボルト６３を締め込むことで、スライド板６２を上方へスライド移動させ、これに伴う押上片部６４の上方移動によって外枠９の上辺部分を下面側から押し上げるようになっている。これにより、遊技機固定装置２０による遊技機２の固定に伴って生じる外枠９の下方への撓みを防止するようになっている。
【００３８】
また、スライド板６２における外枠９の後面と対向する部分には、規制ボルト６５が設けられており、該規制ボルト６５の先端部分には、外枠９の後面と当接することで外枠９の後方への移動を規制する当接規制片６６が設けられている。これにより、撓み防止装置６０は、前述した撓み防止装置５０と同様に、外枠９の上辺部分における下方への撓みを防止すると共に、外枠９の前後方向でのずれ込みを防止するようになっている。
【００３９】
なお、以上説明した遊技機固定装置２０は、設置空間１０の上辺部分を形成する上部島枠４に取り付けられて、遊技機２の上部を固定する構成となっているが、この構成に限定するものではない。例えば、図１４に示すように、遊技機固定装置７０を、設置空間１０の下辺部分を形成する下部島枠５に取り付けて、遊技機２の下部を固定する構成としてもよい。また、遊技機２の上部を固定する遊技機固定装置２０に加えて、遊技機２の下部を固定する遊技機固定装置７０を設けることで、設置空間１０内に遊技機２をより強固に固定するようにしてもよい。以下、遊技機２の下部を固定する遊技機固定装置７０の構成について説明する。但し、遊技機固定装置２０と同様の機能を有する構成部材については、便宜的に同一の符号を付すと共にその詳細な説明を省略する。
【００４０】
図１４に示す遊技機固定装置７０は、金属板から形成されて当該遊技機固定装置７０を下部島枠５に取り付け固定する基板部材７１と、該基板部材７１に対して上下方向に移動可能に設けられる上下移動軸２２と、該上下移動軸２２の下端部分に着脱自在に取り付けられる押圧固定部材３０と、を備えている。基板部材７１は、当該基板部材７１をビス７２止めによって下部島枠５の後側上面に固定するための取付片７３と、上下移動軸２２の雄ネジ部２２ａと螺合する雌ネジ部７４ａが形成された螺合片７４と、該螺合片７４と取付片７３とを繋ぐ接続片７５と、から構成されている。
【００４１】
そして、遊技機固定装置７０により遊技機２の下部を固定する際には、先ず、設置空間１０内の下部島枠５上に遊技機２を載置し、この状態から、下部島枠５に固定された遊技機固定装置７０（上下移動軸２２）の操作部２７を回転操作することで、上下移動軸２２の雄ネジ部２２ａを螺合片７４の雌ネジ部７４ａに螺合させて、上下移動軸２２を下部島枠５に固定された基板部材７１に対して下方に移動させる。そして、このような操作部２７の回転操作に伴う上下移動軸２２の下方への移動を継続することで、上下移動軸２２の下端に設けられた押圧固定部材３０（押込板３５の固定爪３６）が遊技機２を構成する外枠９の下辺部分の上面と当接し、さらに、上下移動軸２２を下方へ移動させることにより、押込板３５の固定爪３６が木製の外枠９にくい込んで押込板３５が外枠９の上面を押さえ込んだ状態となって遊技機２の下部を固定する。
【００４２】
また、接続片７５における外枠９の後面と対向する部分には、規制ボルト７６が設けられており、該規制ボルト７６の先端部分には、外枠９の後面と当接することで外枠９の後方への移動を規制する当接規制片７７が設けられている。これにより、撓み防止装置７０は、遊技機２を外枠９の下辺部分に固定すると共に、外枠９の前後方向でのずれ込みを防止するようになっている。
【００４３】
以上のように、本実施形態の構成によれば、遊技機を島枠に固定する場合、島枠に取り付けられた基板部材に対して上下移動軸を下方へ移動させる。これより、上下移動軸の下端側に設けられた押込板によって遊技機の外枠を押さえ込んで遊技機を島枠に固定する。このとき、押込板の下面に突設された固定爪が外枠にくい込むことで、遊技機固定装置による遊技機の固定をより一層強固なものとする。また、このような構成において、押込板によって遊技機の外枠を押さえ込む際、押込板を下端面として取り付けた揺動体は、押圧部が挿入穴の外周部分を押圧する押圧力を当該揺動体の碗形状の外周部分に沿って分散させて複数個の固定爪が外枠に当接又はくい込むように揺動する。これにより、遊技機固定装置の押込板と対向する遊技機（外枠）側の対向面がフラットでないような場合でも、押込板が外枠を押さえ込む際に、押込板の板面と遊技機側の対向面との面角度が一致して各面が平行面になるように揺動体が揺動するようにできるので、遊技機を所定の設置角度で固定することができる。なお、遊技機固定装置を構成する押込板は、外枠を直接的に押さえ込む構成に限定せず、外枠を間接的に押さえ込む構成であってもよい。具体的には、押込板が外枠と当接することなく、押込板の押圧力がその下面に突設された固定爪を介して外枠に伝わり、外枠を押さえ込む構成であってもよい。
【００４４】
また、遊技機側の対向面に軟質部分（例えば、木製の外枠）と硬質部分（例えば、本体枠を外枠に対して開閉自在に軸支する金属製又はプラスチック製の開閉軸の取付フレーム部）との境目部分が位置するような場合、押圧力を揺動体の碗形状の外周部分に沿って分散させて複数個の固定爪が外枠に当接又はくい込むように揺動体が揺動する。具体的には、硬質部分と対向する固定爪は、その先端部分が硬質部分の上端面と当接する一方、軟質部分と対向する固定爪は、軟質部分にくい込む。これにより、遊技機側の対向面のうち硬質部分にだけ固定爪が当接して、押込板が部分的に遊技機側の対向面を押し込むようなことを回避することができる。従って、遊技機側の対向面に軟質部分と硬質部分との境目部分が位置するような場合でも、押込板全体で遊技機を押さえ込んで固定することができるので、遊技機の固定強度を確実に保つことができる。
【００４５】
また、上下移動軸の上端部分に設けられた操作部を回転操作することで、上下移動軸に形成された雄ネジ部と基板部材に設けられた螺合部との螺合状態を調節して、上下移動軸を上下方向へ移動させる。そして、操作部の回転操作によって上下移動軸を下方向へ移動させることで、上下移動軸の下側に設けられた押込板及び固定爪によって遊技機の外枠を押さえ込んで固定する。一方、押込板及び固定爪による外枠の押さえ込みを解除する際には、押さえ込み時とは反対方向に操作部を回転操作することで、上下移動軸を上方向へ移動させる。これにより、遊技機固定装置を島枠から取り外すことなく、簡単な操作で遊技機の島枠に対する固定及び固定解除を行うことができる。
【００４６】
また、上下移動軸の下端側の軸芯内部に雌ネジ部を形成し、該雌ネジ部との螺合及び螺合解除によって上下移動軸に対して着脱自在に取り付けられる取付軸の下側部分に挿入軸部を一体的に形成する。これにより、上下移動軸の下側に設けられて遊技機を固定する固定部品（挿入軸部が形成された取付軸、揺動体、押圧部、押込板、及び固定爪）をユニットとして上下移動軸の下端に着脱自在に取り付ける構成にできる。従って、遊技機の機種交換を頻繁に繰り返すことで固定爪が破損するような場合には、遊技機固定装置全体を交換するのではなく、ユニット化した固定部品だけを交換すればよいので、交換作業が容易になると共にコストの低減を招来することができる。
【００４７】
また、円盤形状をなす押込板の下面に、突出寸法が異なる２種類の固定爪を突設し、突出寸法の長い固定爪は、押込板の下面中心点から長い半径寸法の位置に複数個等間隔を置いて設ける一方、突出寸法の短い固定爪は、押込板の下面中心点から短い半径寸法の位置に複数個等間隔を置いて設ける。このため、押込板によって遊技機を押し込む際は、押込板の下面中心点から長い半径寸法の位置に設けられた突出寸法の長い固定爪（以下、これを外側の固定爪ともいう）が先に外枠にくい込み、次いで押込板の下面中心点から短い半径寸法の位置に設けられた突出寸法の短い固定爪（以下、これを内側の固定爪ともいう）が外枠にくい込むようになる。従って、遊技機（外枠）側の対向面に軟質部分と硬質部分との境目部分が位置することで対向面の硬質部分と当接して外枠にくい込まない固定爪があるような場合でも、内側の固定爪によって外側の固定爪のくい込みが妨げられることを回避することができ、結果として、突出寸法の異なる２種類の固定爪でより強固に遊技機を固定することができる。
【００４８】
更に、ずれ込み防止部材によって外枠の前後方向への移動を規制することで、遊技機の前後方向でのずれ込みを防止する。これにより、押込板及び固定爪による遊技機の押さえ込み固定に加えて、遊技機を前後方向で固定することができる。一般的に、遊技機を構成する本体枠を外枠に対して開閉する場合、その開閉動作に伴って本体枠を軸支する外枠の一側が若干前方へ押し出されると共に、外枠の他側が若干後方へ押し込まれるようになっており、遊技機を長期間設置した場合には、外枠が前後方向でずれ込むという不具合が生じ易くなるが、ずれ込み防止部材によって遊技機を前後方向で固定することにより、このような外枠の前後方向でのずれ込みを防止することができる。
【符号の説明】
【００４９】
１  遊技島台
２  遊技機
４  上部島枠
５  下部島枠
８  間仕切り
９  外枠
１０  設置空間
１５  貫通穴
２０  遊技機固定装置
２１  基板部材
２２  上下移動軸
２２ａ  雄ネジ部
２２ｂ  雌ネジ部
２５  挿通穴
２６  螺合ナット（螺合部）
２７  操作部
３０  押圧固定部材
３１  取付軸
３１ａ  雄ネジ部
３１ｂ  挿入軸部
３２  揺動体
３２ａ  挿入穴
３３  規制ナット（押圧部）
３５  押込板
３６，３６’  固定爪
４０，５０，６０  撓み防止装置
５１  ワイヤ（ずれ込み防止部材）
５７  規制ボルト（ずれ込み防止部材）
５８  当接規制片（ずれ込み防止部材）
【図１】
2010279590.tif 000003
【図２】
2010279590.tif 000004
【図３】
2010279590.tif 000005
【図４】
2010279590.tif 000006
【図５】
2010279590.tif 000007
【図６】
2010279590.tif 000008
【図７】
2010279590.tif 000009
【図８】
2010279590.tif 000010
【図９】
2010279590.tif 000011
【図１０】
2010279590.tif 000012
【図１１】
2010279590.tif 000013
【図１２】
2010279590.tif 000014
【図１３】
2010279590.tif 000015
【図１４】
2010279590.tif 000016